(57)【要約】【課題】  簡易な構成で、伝送速度の高速化に対応した、インピーダンス整合装置、該装置を用いた半導体レーザ変調駆動装置及び画像形成装置を提供する。【解決手段】  高速電気信号伝送に用いられる集積回路の送信部又は受信部に設けられる、出力インピーダンス又は入力インピーダンスを制御するインピーダンス整合装置１０３を、抵抗、及び、インピーダンス整合用トランジスタからなる終端部１０１、並びに、オペアンプを備えたリファレンス電圧生成部１０２により構成する。【選択図】  図１
2006121575.tif 000002
【特許請求の範囲】
【請求項１】
高速電気信号伝送に用いられる集積回路の送信部又は受信部において、出力インピーダンス又は入力インピーダンスを制御するインピーダンス整合装置であって、
前記インピーダンス整合装置は、抵抗、インピーダンス整合用トランジスタ、及び、オペアンプから構成されていることを特徴とするインピーダンス整合装置。
【請求項２】
高速電気信号伝送に用いられる集積回路の送信部又は受信部において、出力インピーダンス又は入力インピーダンスを制御するインピーダンス整合装置であって、
前記インピーダンス整合装置は、
抵抗及びインピーダンス整合用トランジスタを有する終端部と、
オペアンプを有するリファレンス電圧生成部とを具備し、
前記オペアンプによって前記インピーダンス整合用トランジスタのゲート電圧を制御することにより所望のインピーダンスを得ることを特徴とするインピーダンス整合装置。
【請求項３】
前記リファレンス電圧生成部は、前記終端部と同じ回路構成からなるダミー回路部を有することを特徴とする請求項２記載のインピーダンス整合装置。
【請求項４】
前記ダミー回路部における抵抗の値と、前記終端部における前記抵抗の値とは異なり、前記ダミー回路部におけるインピーダンス整合用トランジスタのサイズと、前記終端部における前記インピーダンス整合用トランジスタのサイズは異なることを特徴とする請求項３記載のインピーダンス整合装置。
【請求項５】
前記リファレンス電圧生成部は、送信部の出力端子又は受信部の入力端子の電圧を積分する積分器を有することを特徴とする請求項２記載のインピーダンス整合装置。
【請求項６】
伝送方式が差動伝送の場合、前記リファレンス電圧生成部は、差動出力又は差動入力の平均値を出力する平均値生成部を有することを特徴とする請求項２記載のインピーダンス整合装置。
【請求項７】
半導体レーザ駆動手段と半導体レーザ変調手段からなる半導体レーザ変調駆動装置において、前記半導体レーザ駆動手段と前記半導体レーザ変調手段が別々のチップで構成される場合、前記半導体レーザ駆動手段と前記半導体レーザ変調手段との間の信号伝送に、請求項１から６のいずれか１項に記載のインピーダンス整合装置を用いたことを特徴とする半導体レーザ変調駆動装置。
【請求項８】
画像形成装置内のチップ間又はボード間の電気信号伝送に、請求項１から６のいずれか１項に記載のインピーダンス整合装置を用いたことを特徴とする画像形成装置。
【発明の詳細な説明】
【技術分野】
【０００１】
本発明は、集積回路間の高速電気信号伝送において、信号波形歪みの原因となる伝送路と、送信部又は受信部と、のインピーダンス不整合を防ぐためのインピーダンス整合装置、該装置を用いた半導体レーザ変調駆動装置及び画像形成装置に関する。
【背景技術】
【０００２】
集積回路の出力ドライバ等の電子回路の出力信号を伝送路に伝送する際に、反射による伝送信号の波形歪みをなくすため、回路の出力インピーダンスと伝送路の特性インピーダンスとを整合させることが行われる。このインピーダンス整合方法には、従来抵抗で終端させる方法をとる。しかし、伝送速度の高速化に伴いますますインピーダンス不整合による波形の歪みや信号減衰が問題になっている。特許文献１には、インピーダンス整合をより正確にとるために、終端抵抗を可変抵抗として、伝送路の電圧をモニターし、LレベルからHレベルへの遷移時間を基準時間と比較し、その結果を可変抵抗にフィードバックする技術が開示されている。また、特許文献２には、半導体レーザ駆動部と半導体レーザ制御部間の信号伝送において波形歪みを防ぐためにインピーダンス整合をとる技術が開示されている。
【特許文献１】特開２００３−８４２１号公報
【特許文献２】特開２００２−３２４９３７号公報
【発明の開示】
【発明が解決しようとする課題】
【０００３】
しかし、信号伝送速度の高速化にともない、伝送信号のモニター用に、出力端子に比較器等を接続すると、その容量により出力波形がなまってしまい伝送速度向上の妨げになるという問題があった。また、時間測定や電圧比較のためには、インピーダンス整合回路の大規模化や消費電流の増大が避けられないため問題である。
【０００４】
本発明は、上記のような問題点に鑑み、簡易な構成で、伝送速度の高速化に対応した、インピーダンス整合装置、該装置を用いた半導体レーザ変調駆動装置及び画像形成装置を提供することを目的とする。
【課題を解決するための手段】
【０００５】
請求項１記載の発明は、高速電気信号伝送に用いられる集積回路の送信部又は受信部において、出力インピーダンス又は入力インピーダンスを制御するインピーダンス整合装置であって、前記インピーダンス整合装置は、抵抗、インピーダンス整合用トランジスタ、及び、オペアンプから構成されているインピーダンス整合装置としたことを特徴とする。
【０００６】
請求項２記載の発明は、高速電気信号伝送に用いられる集積回路の送信部又は受信部において、出力インピーダンス又は入力インピーダンスを制御するインピーダンス整合装置であって、前記インピーダンス整合装置は、抵抗及びインピーダンス整合用トランジスタを有する終端部と、オペアンプを有するリファレンス電圧生成部とを具備し、前記オペアンプによって前記インピーダンス整合用トランジスタのゲート電圧を制御することにより所望のインピーダンスを得るインピーダンス整合装置としたことを特徴とする。
【０００７】
請求項３記載の発明は、前記リファレンス電圧生成部は、前記終端部と同じ回路構成からなるダミー回路部を有する請求項２記載のインピーダンス整合装置としたことを特徴とする。
【０００８】
請求項４記載の発明は、前記ダミー回路部における抵抗の値と、前記終端部における前記抵抗の値とは異なり、前記ダミー回路部におけるインピーダンス整合用トランジスタのサイズと、前記終端部における前記インピーダンス整合用トランジスタのサイズは異なる請求項３記載のインピーダンス整合装置としたことを特徴とする。
【０００９】
請求項５記載の発明は、前記リファレンス電圧生成部は、送信部の出力端子又は受信部の入力端子の電圧を積分する積分器を有する請求項２記載のインピーダンス整合装置としたことを特徴とする。
【００１０】
請求項６記載の発明は、伝送方式が差動伝送の場合、前記リファレンス電圧生成部は、差動出力又は差動入力の平均値を出力する平均値生成部を有する請求項２記載のインピーダンス整合装置としたことを特徴とする。
【００１１】
請求項７記載の発明は、半導体レーザ駆動手段と半導体レーザ変調手段からなる半導体レーザ変調駆動装置において、前記半導体レーザ駆動手段と前記半導体レーザ変調手段が別々のチップで構成される場合、前記半導体レーザ駆動手段と前記半導体レーザ変調手段との間の信号伝送に、請求項１から６のいずれか１項に記載のインピーダンス整合装置を用いた半導体レーザ変調駆動装置としたことを特徴とする。
【００１２】
請求項８記載の発明は、画像形成装置内のチップ間又はボード間の電気信号伝送に、請求項１から６のいずれか１項に記載のインピーダンス整合装置を用いた画像形成装置としたことを特徴とする。
【発明の効果】
【００１３】
本発明によれば、簡易な構成で、高速電気信号伝送に用いられる集積回路の送信部又は受信部の出力インピーダンス又は入力インピーダンスを制御することが可能なインピーダンス整合装置、該装置を用いた半導体レーザ変調駆動装置及び画像形成装置を実現することができる。
【発明を実施するための最良の形態】
【００１４】
本発明を実施するための最良の形態は、高速電気信号伝送に用いられる集積回路の送信部又は受信部に設けられる、出力インピーダンス又は入力インピーダンスを制御するインピーダンス整合装置を、抵抗、インピーダンス整合用トランジスタ、及び、オペアンプにより構成する。
【００１５】
以下に、本発明の好適な実施形態を添付図面に基づいて詳細に説明する。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。また、以下の説明で用いる図はＧＮＤに対して終端しているが、電源電圧に対して終端しても同様の効果が得られる。
【００１６】
（実施形態１）
図１は、本実施形態のインピーダンス整合装置の基本概念図である。図１に示すように、本実施形態のインピーダンス整合装置１０３は、集積回路１０４の出力部又は入力部において設けられた、終端部１０１、及び、終端部１０１を制御するためのリファレンス電圧生成部１０２とから構成される。また、終端部１０１は、抵抗とトランジスタで構成される。リファレンス電圧生成部１０２は、オペアンプを用いることによりリファレンス電圧を生成する。
【００１７】
図２に、図１に示した終端部１０１の具体的な構成を示す。図２に示すように、終端部１０１は、抵抗１０５とトランジスタ１０６を直列に接続することにより構成される。ここで、このトランジスタ１０６は、ゲート電圧をVgs、ドレイン-ソース間電圧をVds、閾値電圧をVthとするとVds < Vgs-Vthの範囲（トランジスタの線形領域）で動作させる。これにより、このトランジスタ１０６を可変抵抗と見なすことができる。このトランジスタ１０６のゲート電圧をリファレンス電圧生成部１０２で制御することにより、抵抗１０５とトランジスタ１０６の合成抵抗を伝送路の特性インピーダンスと合うように設定することができる。
【００１８】
図３に、図１に示したリファレンス電圧生成部１０２の具体的な構成を示す。図３に示すように、リファレンス電圧生成部１０２内に終端部１０１と同じ構成のダミー回路部１０７を設け、ある定電流を流す。その時の出力電圧が、伝送路の特性インピーダンスと電流源の電流値で決定される基準電圧１０８に一致するように、オペアンプ１０９で制御している。実際の回路レイアウトにおいてこの終端部１０１とダミー回路部１０７をより近くに対称に配置することにより、終端部１０１とダミー回路部１０７間のデバイスばらつきを抑制することができ、実際の出力インピーダンス又は入力インピーダンスを伝送路の特性インピーダンスに合致させることができる。図３において、ダミー回路部１０７の抵抗１１０の抵抗値とトランジスタ１１１のトランジスタサイズを、終端部１０１のそれ（抵抗１０５の抵抗値とトランジスタ１０６のトランジスタサイズ）とは変えて、ダミー回路部１０７の合成抵抗値を終端部１０１の合成抵抗値よりも大きくすることにより定電流源の電流値を少なくすることが可能となる。つまり、ダミー回路部１０７の消費電流を小さくすることができる。この時ダミー回路部１０７の抵抗１１０の抵抗値とトランジスタ１１１のソースドレイン間抵抗値の比率を終端部１０１のそれ（抵抗１０５の抵抗値とトランジスタ１０６のソースドレイン間抵抗値の比率）と同じになるようにしなければならない。このダミー回路部１０７を設けることにより、簡易な構成で、高速信号伝送に用いられる集積回路の送信部又は受信部の出力インピーダンス又は入力インピーダンスを制御することができ、出力又は入力に大きな容量を負荷することなく高速動作が可能となる。
【００１９】
（実施形態２）
図４に、本発明を適用した第２の実施形態であるインピーダンス整合装置１１３の基本概念図を示す。図４に示すように、出力端子又は入力端子に積分器１１２が接続され、積分器１１２の出力電圧によりリファレンス電圧生成部１０２は終端部１０１を制御する構成となっている。ここで積分器１１２は出力又は入力の電圧を平均値化し、その値によってリファレンス電圧生成部１０２がリファレンス電圧を生成するので伝送路その他の環境に応じたリアルタイムの制御をすることが可能となる。本実施形態によれば、簡易な構成で、出力又は入力の電圧を平均化することによりリアルタイムにインピーダンス整合が実施可能となる。
【００２０】
図５に、本実施形態のインピーダンス整合装置１１３の実際の回路構成を示す。出力又は入力につながった抵抗１１４と容量１１５により、ローパスフィルタが形成され、その電圧を基準電圧１０８と比較し、オペアンプ１０９で終端部１０１を制御している。
【００２１】
（実施形態３）
図６に、本発明を適用した第３の実施形態であるインピーダンス整合装置１１９の基本概念図を示す。図６に示すように、本実施形態のインピーダンス整合装置１１９は、差動伝送の場合におけるものであり、平均値生成部１１６がそれぞれの入力又は出力に接続され、その平均値からリファレンス電圧生成部１０２が各終端部１１７、１１８を制御している。ここで平均値生成部１１６は、差動出力又は差動入力の電圧を平均値化し、その値によってリファレンス電圧生成部１０２がリファレンス電圧を生成するので、伝送路その他の環境に応じたリアルタイムの制御をすることが可能となる。本実施形態によれば、差動伝送において、簡易な構成で、出力又は入力の電圧を平均化することによりリアルタイムにインピーダンス整合が実施可能となる。
【００２２】
図７に、本実施形態のインピーダンス整合装置１１９の実際の回路構成を示す。それぞれの差動出力又は差動入力は、２本の抵抗１２０、１２１を通して接続され、その中点１２２をキャパシタ１２３でGNDに落としている。この中点１２２が、差動出力又は差動入力の平均値となり、その平均値を基準電圧１０８と比較し、オペアンプ１０９で各終端部１１７、１１８を制御している。
【００２３】
（実施形態４）
第４の実施形態は、上述した、第１の実施形態から第３の実施形態のインピーダンス整合装置を備えた半導体レーザ駆動変調装置である。図８に、上述した、第１の実施形態から第３の実施形態のインピーダンス整合装置１２４、１２５を半導体レーザ駆動変調装置に適用した場合の構成を示している。半導体レーザ駆動変調装置において、半導体レーザ駆動部１２７と半導体レーザ変調部１２６を別々の集積回路で構成した場合、その集積回路間での信号伝送が必要となる。この時、半導体レーザ駆動部１２７の入力部及び／又は半導体レーザ制御部変調部１２６の出力部にこのインピーダンス整合装置１２４、１２５を適用することにより、反射の少ない信号を正確に高速に伝送することができる。
【００２４】
図９に、本実施形態の半導体レーザ駆動変調装置を、ラスター走査型画像形成装置に用いる場合のシステム構成図を示す。ＬＤ変調信号生成部１２８で生成されたＬＤ変調信号１２９は、半導体レーザ駆動部１３０に入力され、半導体レーザの光を変調する。変調されたレーザ光は、コリメータレンズ１３１、シリンダーレンズ１３２を介して、ポリゴンミラー１３３に入力され,ポリゴンミラー１３３により偏光され、ｆθレンズ１３４を介して感光体１３５に入射される。書き込み開始位置は、水平同期センサ１３６により検出され、画像処理及びＬＤ変調信号生成部１２８に入力され、水平同期信号１３７と画像信号１３８に従い、ＬＤ変調信号１２９を出力する図９ではシステムを表す図としているため、図９における書込み制御信号生成部１３９は、単に画像データを生成するだけでなく、書込み制御信号、例えば、主走査方向や副走査方向のカウンタ等の機能も有しているため、画像データ生成部ではなく、書込み制御信号生成部１３９としている。図９において、例えば、画像クロック生成部及びパルス生成部１４０からＬＤ駆動部１３０への変調信号の伝送で、インピーダンス整合装置を適用することができる。これにより変調信号を反射を少なく正確に高速に伝送することが可能となる。
【００２５】
（実施形態５）
第５の実施形態は、上述した、第１の実施形態から第３の実施形態のインピーダンス整合装置、又は、第４の実施形態の半導体レーザ駆動変調装置を備えた画像形成装置である。本実施形態の画像形成装置の構成及び機能について図１０を用いて以下に説明する。図１０に示すように、この画像形成装置は、例えば原稿画像を複写する複写機能、通信回線を介して画像データを送受信するファクシミリ機能、及び、外部Ｉ／Ｆを介して外部装置から供給される画像データに基づいてプリントするプリンタ機能を備えた画像形成装置、すなわち複合型デジタル画像形成装置（以下、画像形成装置と略称する）として構成される。
【００２６】
図１０は、この画像形成装置の内部構造を概略的に示す断面図である。図１０に示されたように、本実施例を適用した画像形成装置、例えば、電子写真式デジタル画像形成装置５０は、原稿画像を読み取って画像データを生成する読み取り手段として機能する画像読み取り部、すなわちスキャナ部５０ａ、及び画像データに基づいて画像を形成する画像形成手段として機能する画像形成部すなわちプリンタ部５０ｂを有している。また、画像形成装置５０は、このスキャナ部５０ａの上部に、搬送手段としての原稿自動給送装置５１を備え、スキャナ部５０ａの後述する原稿台すなわち原稿テーブルに対して開閉可能に形成されて読み取り対象物としての原稿Ｄを原稿台に向けて１枚ずつ給送するとともに、原稿台に載置された原稿Ｄを原稿台にも密着させる原稿押さえとして機能するようにしている。
【００２７】
スキャナ部５０ａは、その上部に、閉じた状態にある原稿自動給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール５３と、を有している。
【００２８】
原稿テーブル５２の下方には、原稿テーブル５２に載置された原稿Ｄを照明する露光ランプ５４、露光ランプ５４からの光ビームを原稿Ｄに集光させるための補助反射板５８、及び、原稿Ｄからの反射ビームを図中左方向に折り曲げる第１ミラー５６などが配置されている。露光ランプ５４、補助反射板５８及び第１ミラー５６は、第１キャリッジ５７に固定されており、第１キャリッジ５７の移動にともなって原稿テーブル５２と平行に移動可能に配置されている。なお、第１キャリッジ５７は、図示しない歯つきベルト等を介して図示しないパルスモータの駆動力が伝達されて、原稿テーブル５２に沿って平行に移動される。
【００２９】
原稿テーブル５２の図中左方、すなわち第１ミラー５６により反射された反射ビームが案内される方向には、第２キャリッジ５９が配設されている。第２キャリッジ５９には、第１ミラー５６により案内される原稿Ｄからの反射ビームを下方に折り曲げる第２ミラー６０、及び図中右方に折り曲げる第３ミラー６１が互いに直角に配置されている。第２キャリッジ５９は、第１キャリッジ５７を駆動する図示しない歯つきベルトなどにより第１キャリッジ５７に従動されるとともに、第１キャリッジ５７に対して１／２の速度で原稿テーブル５２に沿って平行に移動される。
【００３０】
第１キャリッジ５７の下方であって、第２キャリッジ５９を介して折り返されたビームの光軸を含む面内には、第２キャリッジ５９からの反射ビームを所定の倍率で結像させる結像レンズ６２、及び、結像レンズ６２により集束性が与えられた反射ビームを電気信号すなわち画像データに変換する複数のＣＣＤイメージセンサからなるラインセンサ６３が配置されている。
【００３１】
なお、ここでは、ラインセンサ６３における複数のＣＣＤイメージセンサが配列されている方向を主走査方向とし、第１キャリッジ５７及び第２キャリッジ５９が移動する方向を副走査方向とする。本実施例では、この読み取り装置部分は、スキャナ部５０ａを固定させ、原稿自動給送装置５１により、原稿を搬送させながら画像を読み取る、シートスルータイプの画像読み取りシステムとなっている。
【００３２】
次に、プリンタ部５０ｂについて説明する。プリンタ部５０ｂは、感光体ドラム１２と、帯電チャージャ１３と、現像ユニット１４、１５と、除電ランプ（ＰＴＬ）１７と、転写チャージャ１８と、分離チャージャ１９と、イレーサ２０と、クリーニングユニット２１と、ポリゴンミラー（レーザ光発生器）２２と、光学系（レンズ）２３と、を有し、画像メモリに記憶された画像データの画像形成、出力を行う。
【００３３】
すなわち、感光体ドラム１２を矢示方向に回転させると同時に、感光体ドラム１２上に付着した残留トナー及び不均一な電位が帯電チャージャ１３及び現像ユニット１４、１５に到達しないように、除電ランプ（ＱＬ）１６、転写前除電ランプ（ＰＴＬ）１７、転写チャージャ１８、分離チャージャ１９、イレーサ２０、及びクリーニングユニット２１を駆動して、除電ランプ１６を通過した後の感光体ドラム１２の表面電位が略ゼロになるようにする。
【００３４】
その後、感光体ドラム１２の表面を帯電チャージャ１３により一様に帯電すると共に、画像メモリに記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、反射光が光学系（レンズ）２３、及びミラー２４を介して感光体ドラム１２の表面を照射して静電潜像を形成する。
【００３５】
次いで、感光体ドラム１２上に形成された潜像を、非画像部（画像作成領域からはみ出した不要部分）の電荷をイレーサ２０によって除去した後、黒トナーにより現像を行う黒現像ユニット１４あるいはカラートナーにより現像を行うカラー現像ユニット１５よりトナーを付着して可視像化する。このとき、現像バイアス電位を変化させることにより、画像の濃淡を調整することができる。
【００３６】
他方において、図示しないメインモータの駆動を選択的に取り出せる給紙クラッチのＯＮにより呼出コロ２５及び３個の給紙コロ２６のいずれかを駆動し、予め選択された給紙段（後述する）にセットされている記録紙を停止中のレジストローラ対２７に向けて給紙させる。レジストローラ対２７の手前にはレジストセンサ２８が配設されており、レジストセンサ２８は例えば反射型フォトセンサであり、その対向位置に記録紙の先端が到達するとＯＮ状態になる。それから、一定時間経過後に給紙クラッチをＯＦＦ状態に戻して、搬送中の記録紙を停止させる。
【００３７】
なお、給紙クラッチのＯＦＦのタイミングは、レジストセンサ２８とレジストローラ対２７の間を記録紙が搬送される時間より長くとられている。従って、記録紙は先端がレジストローラ対２７に突き当てられ、先端側にたわみを生じてスキュー等を防止する状態で待機する。その後、感光体ドラム１２上の画像先端に合わせたタイミングでレジストクラッチをＯＮ状態にし、それによってレジストローラ対２７が回転駆動されることにより、待機中の記録紙を転写部へ向けて再搬送する。
【００３８】
記録紙が転写部に到達すると、転写チャージャ１８の作用によって感光体ドラム１２上のトナー像を紙面上に転写し、続いて転写チャージャ１８と一体に保持されている分離チャージャ１９の作用によって紙面上の帯電電位を下げて記録紙と感光体ドラム１２との密着力を低下させた後、分離爪２９によって、記録紙を感光体面から分離する。
【００３９】
次いで、記録紙を２個のローラによって張装された搬送ベルト３０によって定着部へ送り、定着ローラ３１によってトナー像を熱定着し、その後コピーモードとして片面モードが選択されていれば切替爪３２の切り替えによって下側の再給紙用搬送経路３３へ送り込む。
【００４０】
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、更に、残存電荷を消去するために感光面を除電ランプ１６によって前面露光させる。
【００４１】
ところで、この複写機には、特定サイズの記録紙のみをまとめて収納できる通常の給紙カセットとして、それぞれ異なるサイズの記録紙をセットした３つの給紙カセット３４〜３６を着脱可能に備え、またいずれの給紙カセットにも収納されていない記録紙、すなわち不特定サイズの記録紙をセットできる手差しテーブル（手差しトレイ）３７をも備えている。
【００４２】
そして、各給紙カセット３４〜３６のいずれかに収納されている記録紙を用いてコピーする場合は、カセットサイズを図示しない操作パネル上のサイズ選択キーによって選択した後、コピースタートキーを押下することにより、給紙カセットから記録紙の給紙が行われる。
【００４３】
なお、３８ａ〜３８ｃは、各給紙カセット３４〜３６の各収納用紙サイズを検知するためのサイズ検知センサであり、例えば５連のフォトインタラプタを使用する。また、各給紙カセット３４〜３６の先端部には、それぞれ図示しないサイズ識別用の遮光板が付設されている。この遮光板はカセット内に収納されるべき記録紙のサイズ毎に異なる切欠部を有している。
【００４４】
サイズ検知センサ３８ａ〜３８ｃは、給紙カセット３４〜３６が装着されると、遮光板の遮光部を挟んだフォトインタラプタのみが光路を遮断されるため、それに応じた信号（コード）をそれぞれ制御部へ出力することができる。なお、制御部はＣＰＵ等である。一方、不特定サイズの記録紙を用いてコピーする場合には、手差しテーブル３７を仮想線で示す閉じた状態から矢示Ａ方向に開いて実線で示す使用状態にした後、その上面に所望の記録紙をセットして、コピースタートキーを押下することにより、手差しテーブル３７から記録紙の給紙が行われる。
【００４５】
なお、手差しテーブル３７が開く方向に回動すると、第１給紙カセット３４に設けられている記録紙載置用の底板を持ち上げていた底板上昇アーム３９がそれに連動して下降する。また、この複写機の手差しテーブル３７に対向する位置には、手差しテーブル３７の開閉を検知するための図示しない開閉検知センサが設置されている。
【図面の簡単な説明】
【００４６】
【図１】第１の実施形態のインピーダンス整合装置の基本概念図である。
【図２】第１の実施形態のインピーダンス整合装置の終端部の具体的な構成を示す図である。
【図３】第１の実施形態のインピーダンス整合装置のリファレンス電圧生成部の具体的な構成を示す図である。
【図４】第２の実施形態のインピーダンス整合装置の基本概念図である。
【図５】第２の実施形態のインピーダンス整合装置の回路構成図である。
【図６】第３の実施形態のインピーダンス整合装置の基本概念図である。
【図７】第３の実施形態のインピーダンス整合装置の回路構成図である。
【図８】第４の実施形態として、第１から第３の実施形態のインピーダンス整合装置を、半導体レーザ駆動変調装置に適用した場合の構成図である。
【図９】第４の実施形態における半導体レーザ駆動変調装置のシステム構成図である。
【図１０】第５の実施形態として、第１から第３の実施形態のインピーダンス整合装置又は第４の実施形態の半導体レーザ駆動変調装置を適用した画像形成装置の構成断面図である。
【符号の説明】
【００４７】
１０１    終端部
１０２    リファレンス電圧生成部
１０３    インピーダンス整合装置
１０４    集積回路
１０５    抵抗
１０６    トランジスタ
１０７    ダミー回路部
１０８    基準電圧
１０９    オペアンプ
１１０    抵抗
１１１    トランジスタ
１１２    積分器
１１３    インピーダンス整合装置
１１４    抵抗
１１５    容量
１１６    平均値生成部
１１７    終端部
１１８    終端部
１１９    インピーダンス整合装置
１２０    抵抗
１２１    抵抗
１２２    中点
１２３    キャパシタ
１２４    インピーダンス整合装置
１２５    インピーダンス整合装置
１２６    半導体レーザ変調部
１２７    半導体レーザ駆動部
１２８    画像処理及びＬＤ変調信号生成部
１２９    ＬＤ変調信号
１３０    半導体レーザ駆動部
１３１    コリメータレンズ
１３２    シリンダーレンズ
１３３    ポリゴンミラー
１３４    ｆθレンズ
１３５    感光体
１３６    水平同期センサ
１３７    水平同期信号
１３８    画像信号
１３９    書込み制御信号生成部
１４０    画像クロック生成部及びパルス生成部
【図１】
2006121575.tif 000003
【図２】
2006121575.tif 000004
【図３】
2006121575.tif 000005
【図４】
2006121575.tif 000006
【図５】
2006121575.tif 000007
【図６】
2006121575.tif 000008
【図７】
2006121575.tif 000009
【図８】
2006121575.tif 000010
【図９】
2006121575.tif 000011
【図１０】
2006121575.tif 000012